(57)【特許請求の範囲】
【請求項１】
情報が転写されている２枚のディスク基板を貼り合わせて作製されたドーナツ状のデジタルビデオディスクにおいて、前記の２枚のディスク基板の何れか一方若しくは両方の表面に、デジタルビデオディスクの読み出しレーザー光の入射方向でのその読み出しレーザー光の波長近傍の光の回折効率は低いが、その方向以外の方向においてその読み出しレーザー光の波長近傍の光の回折効率が高い体積ホログラムからなるレーベルが接着されていることを特徴とするデジタルビデオディスク。
【請求項２】
請求項１において、紫色、青色、緑色、黄色又は橙色の記録像を再生する体積ホログラムを用いることを特徴とするデジタルビデオディスク。
【請求項３】
請求項１又は２において、前記体積ホログラムに異なる２つ以上の波長で記録像が再生可能に記録されていることを特徴とするデジタルビデオディスク。
【発明の詳細な説明】
【０００１】
【発明の属する技術分野】
本発明は、デジタルビデオディスク（以下、ＤＶＤと記す。）に関し、特に、ホログラムからなるレーベルを貼り付けた両面ＤＶＤに関する。
【０００２】
【従来の技術】
音若しくは画像の再生専用に使用されるＤＶＤには、一面側に信号が転写されたディスク基板を、他面側に信号のない平面平板のディスク基板を相互に貼り合わせてなる片面ディスクと呼ばれるものと、２枚の信号が転写されたディスク基板同士を貼り合わせてなる両面ディスク（両面読み取り型ＤＶＤ）と呼ばれるものとがある。また、片面ディスク、両面ディスク共、各記録層に半透過の記録層を追加して２層構造にして記録容量を増やすものもある。何れにしても、片面ディスクは片面からしか情報を読み出せないＤＶＤであり、両面ディスクは両面から情報を読み出せるＤＶＤである。
【０００３】
【発明が解決しようとする課題】
片面ＤＶＤは情報の読み出しができない側にスクリーン印刷等によりレーベル印刷を施すことができるが、両面から情報が読み出せる両面ＤＶＤにおいては、レーベル印刷を施すスペースがほとんどない。したがって、両面ＤＶＤにおいては、センターホールの周囲の中心部の僅かなスペースに印刷若しくは回折格子パターンとしてレーベル表示を行うため、表示が非常に見難いという問題点があった。
【０００４】
本発明は従来技術のこのような問題点に鑑みてなされたものであり、その目的は、情報が転写された２枚のディスク基板を貼り合わせてなるドーナツ状の両面ＤＶＤにおいて、レーベルとして読取用レーザー光には透明なホログラムをディスク基板に貼り付けて選別性と装飾効果を増すようにすることである。
【０００５】
【課題を解決するための手段】
上記目的を達成する本発明のデジタルビデオディスクは、情報が転写されている２枚のディスク基板を貼り合わせて作製されたドーナツ状のデジタルビデオディスクにおいて、前記の２枚のディスク基板の何れか一方若しくは両方の表面に、デジタルビデオディスクの読み出しレーザー光の入射方向でのその読み出しレーザー光の波長近傍の光の回折効率は低いが、その方向以外の方向においてその読み出しレーザー光の波長近傍の光の回折効率が高い体積ホログラムからなるレーベルが接着されていることを特徴とするものである。
【０００６】
この場合、紫色、青色、緑色、黄色又は橙色の記録像を再生する体積ホログラムを用いることができる。また、その体積ホログラムに異なる２つ以上の波長で記録像が再生可能に記録されていてもよい。
【０００８】
本発明においては、両面読み取り型ＤＶＤのレーベル情報をＤＶＤディスクの両面若しくは片面に体積ホログラム（リップマンホログラム）として貼り付けることにより付与するので、両面読み取り型ＤＶＤであっても広い表示領域が確保できレーベル情報が見やすくなる。この際、体積ホログラムにＤＶＤのデータの読み出しに影響を与えない角度でレーベル情報を記録してあるので、ＤＶＤの読み出しは正常に行うことができ、かつ、体積ホログラムには３次元情報等を記録することもできるので、意匠性、装飾性を向上させることもできる。
【０００９】
【発明の実施の形態】
以下、本発明のＤＶＤの実施例について説明する。実施例の説明の前に両面ＤＶＤの概略の構成を図１の断面図を参照にして説明する。図１（ａ）に示すように、ポリカーボネート樹脂等の透明プラスチックからなる２枚の透明基板１、２それぞれの片面のトラック上に記録すべきデジタルデータを表現する情報ピット３と呼ばれる種々の長さで一定の深さの穴を設け、このデータ記録面上全面にアルミニウム等の反射層４を被覆し、その上に保護層を設け、この２枚の基板１、２をデータ記録面側で背中合わせに向かい合わせて接着層５で両者を貼り合わせて、両面ＤＶＤが完成する。図中、６はセンターホールである。
【００１０】
また、図１（ｂ）に示すように、各反射層４の読み出し側にそれから若干間隔をおいて同様の構造の記録面を構成する半透過反射層７を設けた２層両面ＤＶＤとすることもできる。
このような両面ＤＶＤは、両面９．４Ｇバイト（図（ａ））あるいは１７Ｇバイト（図（ｂ））と大容量のデータを記録することができる。その読み取りには、図１に示すように、各記録層に読み取り光を集光させ、情報ピット３からの反射光を検出することにより行われる。なお、読み取り光としては波長６３５〜６５０ｎｍの赤色半導体レーザー光が用いられる。
【００１１】
このように基板１、２表面上に情報ピット３を設ける方法としては、情報ピット３に相当する凸部を有するスタンパを含む金型内に溶融した樹脂を高圧力で注入して固まらせて成形する射出成形法、スタンパを油圧プレス機械のモールディングダイスの片側に取り付け、溶融点ぎりぎりまで加熱した樹脂材料を置き、プレスして成形する圧縮成形法、光透過性の基材フィルムと原版との間に紫外線又は電子線で硬化する樹脂液を充填し、紫外線又は電子線を基材フィルムに照射して樹脂液を硬化させて原版を複製する２Ｐ（Ｐｈｏｔｏ  Ｐｏｌｙｍａｒｉｚａｔｉｏｎ）法（特開平２−２０３４４４号）等が知られている。
【００１２】
ところで、リップマンホログラムあるいは体積ホログラムと呼ばれるホログラムは白色光の下で記録像が再生可能で、かつ、再生波長選択性、再生角度選択性が大きく、再生波長以外の波長、再生照明光入射角度以外の入射角では透明であるため、上記のようなＤＶＤの読み取り側表面に貼り付けても、読み取りレーザー光には透明で、白色光でホログラム記録像が再生可能なホログラムを作成することが可能である。
【００１３】
すなわち、例えば緑色の波長の光で再生されるリップマンホログラムの場合、白色照明光の下では人間の目には緑色の３次元像あるいは２次元像が見えるが、図１（ａ）、（ｂ）に示すような両面ＤＶＤの波長６３５ｎｍの読み取りレーザー光に対しては略透明（透過率が略１００％）である。したがって、両面ＤＶＤの表面又は裏面あるいは両面にこのようなリップマンホログラムからなるレーベルを貼り付けておいても、既存のＤＶＤプレーヤーで両面ＤＶＤの情報を読み出すことができる。また、読み取りレーザー光はＤＶＤ面に垂直に入出射するので、読み取りレーザー光の波長６３５ｎｍ近傍の赤色の光で再生されるリップマンホログラムであっても、その角度（ＤＶＤ面に垂直）近傍のでの回折効率が低く記録像が再生されないように記録されている場合も、同様に両面ＤＶＤの表面又は裏面あるいは両面にに貼り付けても問題なく情報を読み取ることができる。
【００１４】
以下に、本発明に基づくホログラムレーベルの実施例について説明する。
図２にリップマンホログラムの記録光学系の光路図を示す。図中、１１はこの実施例１では波長５１５ｎｍのアルゴンレーザー、１２はハーフミラー、１３はミラー、１４は後側焦点面にスペーシャルフィルターが設けられた凸レンズ、１５はコリメートレンズ、１６は透過散乱板（オパールガラス）、１７はレーベル印刷情報が記録されたＯＮ−ＯＦＦマスクからなるパターンマスク、１８はホログラム記録フィルムであり、実施例１の場合、Ｏｍｎｉｄｅｘ７０６（デュポン社製）である。
【００１５】
図２の配置において、アルゴンレーザー１１からの波長５１５ｎｍのアルゴンレーザー光をハーフミラー１２で二分し、その反射光をミラー１３を介して凸レンズ１４とコリメートレンズ１５からなるビームエッキスパンダーでビーム径を拡大し、透過散乱板１６を介してパターンマスク１７を照明し、物体光としてホログラム記録フィルム１８の一方の面から入射させ、一方、ハーフミラー１２で二分された透過光は、ミラー１３を介して凸レンズ１４とコリメートレンズ１５からなるビームエッキスパンダーでビーム径を拡大し、ホログラム記録フィルム１８の他方の面から参照光として入射させ、物体光と参照光をホログラム記録フィルム８中で干渉させることにより、レーベル用リップマンホログラムを露光した。露光量は３０ｍＪ／ｃｍ2 であり、記録後、紫外線露光、熱処理を行った後、ホログラム記録フィルム１８の透明保護フィルム２１とは反対側の面に透明粘着剤ＭＣ２０００（日東電工（株）製）の層２２を塗布し、その上に剥離フィルム２３を貼り合わせ、型抜き後、図３に断面を示した構成のホログラムレーベルシール２４を得た。なお、図３において、符号１９はホログラム記録フィルム１８中のホログラム記録層であり、符号２０はホログラム記録層１９上に透明保護フィルム２１を貼り付けている粘着剤層である。
【００１６】
図３のホログラムレーベルシール２４の剥離フィルム２３を剥離して、図１（ａ）あるいは（ｂ）に示したような通常の工程を経て作製された両面読み出し型ＤＶＤ１０の両面又は片面の一部あるいは全面にラミネートするとにより、図４に要部の断面を示したようなホログラムレーベル付きＤＶＤを得ることができる（図４は図１（ａ）の両面ＤＶＤ１０の両面にホログラムレーベル２４を貼り付けてある。）。このレーベル２４は自然光下で緑色に見えるため、人間の目にはＤＶＤのレーベル情報は見えるが、読み出しレーザー光（波長６３５ｎｍ）には透明なため、正常にＤＶＤ１０の情報の読み出しができる。
【００１７】
次に、実施例２においては、図２に示す光学系の配置で、ホログラム記録フィルム１８としてＨＲＦ７５０Ｘ０７１（デュポン社製）を使用し、レーザー１１として波長６４７ｎｍのクリプトンレーザーを用いて、露光量３０ｍＪ／ｃｍ2 の露光量でレーベル用リップマンホログラムを露光した。記録後、紫外線露光、熱処理を行った後、ホログラム記録フィルム１８の透明保護フィルム２１とは反対側の面に透明粘着剤ＭＣ２０００（日東電工（株）製）の層２２を塗布し、その上に剥離フィルム２３を貼り合わせ、型抜き後、図３に断面を示した構成のホログラムレーベルシール２４を得た。
【００１８】
この実施例の図３の断面のホログラムレーベルシール２４の剥離フィルム２３を剥離して、図１（ａ）あるいは（ｂ）に示したような通常の工程を経て作製された両面読み出し型ＤＶＤ１０の両面又は片面の一部あるいは全面にラミネートするとにより、図４に要部の断面を示したようなホログラムレーベル付きＤＶＤを得ることができる（図４は図１（ａ）の両面ＤＶＤ１０の両面にホログラムレーベル２４を貼り付けてある。）。このレーベル２４は、自然光下で赤色に見えるため、ＤＶＤ１０の読み出しレーザー光に影響を与えるように思われるが、図２の配置で記録する際の参照光が斜め方向から入射しているため、ＤＶＤディスク面に垂直な光に対しては波長６３５ｎｍでの回折効率は低く、ＤＶＤ１０の読み出しは正常に行うことができた。
【００１９】
以上、本発明のデジタルビデオディスクを実施例に基づいて説明してきたが、本発明はこれら実施例に限定されず種々の変形が可能である。例えば、体積ホログラムに２波長以上の波長で記録することによりカラー像を記録するようにすることも可能である。
【００２０】
【発明の効果】
以上の説明から明らかなように、本発明のデジタルビデオディスクによると、両面読み取り型ＤＶＤのレーベル情報をＤＶＤディスクの両面若しくは片面に体積ホログラム（リップマンホログラム）として貼り付けることにより付与するので、両面読み取り型ＤＶＤであっても広い表示領域が確保できレーベル情報が見やすくなる。この際、体積ホログラムにＤＶＤのデータの読み出しに影響を与えない角度でレーベル情報を記録してあるので、ＤＶＤの読み出しは正常に行うことができ、かつ、体積ホログラムには３次元情報等を記録することもできるので、意匠性、装飾性を向上させることもできる。
【図面の簡単な説明】
【図１】両面読み取り型ＤＶＤの概略の構成を示す断面図である。
【図２】本発明の実施例において用いるリップマンホログラムの記録光学系の光路図である。
【図３】本発明の実施例によるホログラムレーベルシールの断面図である。
【図４】本発明の実施例によるホログラムレーベルシール両面読み出し型ＤＶＤの両面にラミネートした様子を示す要部の断面図である。
【符号の説明】
１、２…透明基板（ディスク基板）
３…情報ピット
４…反射層
５…接着層
６…センターホール
７…半透過反射層
１０…両面読み出し型ＤＶＤ
１１…レーザー
１２…ハーフミラー
１３…ミラー
１４…凸レンズ
１５…コリメートレンズ
１６…透過散乱板
１７…パターンマスク
１８…ホログラム記録フィルム
１９…ホログラム記録層
２０…粘着剤層
２１…透明保護フィルム
２２…粘着剤層
２３…剥離フィルム
２４…ホログラムレーベルシール
【図１】
0003642375.tif 000002
【図２】
0003642375.tif 000003
【図３】
0003642375.tif 000004
【図４】
0003642375.tif 000005